(57)【要約】【課題】単純な構造で実現でき、作業を安全に行うことができるようにする。【解決手段】  本発明の作業用手袋１は、芯鞘構造の熱融着繊維を用いた手袋であり、手袋の外側の指のひら側に突起２、内側に滑り止め用の弾性体を設けることにより、ポリエチレン製のごみ袋７の結び目部分９を容易に且つ、安全に持つことができるように構成されている。【選択図】  図１
2005179872.tif 000002
【特許請求の範囲】
【請求項１】
高融点の芯とその周囲に低融点の鞘部を持つ芯鞘構造の熱融着繊維を用いて作られた手袋であり、手袋の外側の指のひら及び掌側に海島状に融着による高さ１ｍｍから８ｍｍまでの突起が形成されていることを特徴とする作業用手袋。
【請求項２】
前記融着による突起と手袋の内側の指のひら及び掌側に点状もしくは線状の滑り止めのための弾性体を付着させていることを特徴とする請求項１記載の作業用手袋。
【請求項３】
前記芯鞘構造の熱融着繊維がナイロン系、ポリエステル系、ポリプロピレン系のマルチフィラメントもしくは紡績糸であることを特徴とする請求項１及び２記載の作業用手袋。
【請求項４】
前記手袋が熱融着繊維に対して繊度比で５０％以下のアラミド繊維、ＰＢＯ繊維、ポリアリレート繊維が合糸されて編み上げられていることを特徴とする請求項１〜３記載の作業用手袋。
【請求項５】
前記手袋の内側に付着させている弾性体がウレタン系、シリコン系、ゴム系のものであることと特徴とする請求項１〜４記載の作業用手袋。
【発明の詳細な説明】
【技術分野】
【０００１】  本発明は、廃棄物の収集作業用に用いられる手袋及びその製造方法に関するものである。
【背景技術】
【０００２】  従来より家庭から排出される可燃ごみの収集作業に用いられていた手袋として、特許文献１の手袋を例示する。
この手袋５０は、図５に示すように、滑り止めのための複数の薄いゴム片５１が立設された、屈曲自在な滑り止め付ゴムシート５２が、手袋の手の掌側表面に圧着して形成されている。【０００３】  この手袋を使用して可燃ごみが入ったポリエチレン製のごみ袋を握り、持ち上げて収集車の投入口に投入するのである。【０００４】
【特許文献１】特開平１０−０８６２５２
【発明の開示】
【発明が解決しようとする課題】
【０００５】  ところが、特許文献１記載の手袋５０の滑り止めのための薄いゴム片５１及びそれが立設されたゴムシート５２を圧着されているので、例えば次の課題がある。
（ａ）滑り難くするためには、薄いゴム片５１の硬度を低く、つまり柔らかいゴムにしてやらなければならず、磨耗し易いため滑り止めの役割を果たし難い。
（ｂ）逆に薄いゴム片５１の硬度を高く、つまり硬いゴムを用いた場合には、水に濡れたりした場合には山の高さが低いため滑りやすくなってしまう。
（ｃ）ゴムシート５２が手袋本体に圧着されているために、物を握る時に発現される力を分散するようになってしまう。
【課題を解決するための手段】
【０００６】  上記課題を解決するために、本発明に係る作業用手袋は、高融点の芯とその周囲に低融点の鞘部を持つ芯鞘構造の熱融着繊維を用いて作られた手袋であり、手袋の外側の指のひら及び掌側に海島状に融着による高さ１ｍｍから８ｍｍまでの突起が形成されている。【０００７】  また、手袋の内側の指のひら及び掌側に点状もしくは線状の滑り止めのための弾性体を付着させている。【０００８】  この構造によれば、手袋を介して手袋の指先の突起部分に応力を集中させることが出来るため、雨などにより濡れたような滑り易いごみ袋であっても、容易に且つ確実に掴むことが出来る。【０００９】  また、ごみの収集作業においては、病院等の医療現場から排出される鋭利な手術用のメスや注射針が入った医療廃棄物があるが、昨今の事故ではポリエチレン袋で回収する一般ごみの中にそのような危険なものが混入して事故に至った事例もあり、なるべく視認性の良い袋の上部の結び目を簡単に持てるような手袋が要求されているのであるが、本発明の突起が形成されている手袋は、指先の突起に力を集中させることが出来るのと軟らかいポリエチレン袋の結び目部分にしっかりくい込んで指先だけで保持することが可能となるため、注射針等に接触する危険性が低減できるのである。
【発明の効果】
【００１０】  本発明に係る作業用手袋によれば、単純な構造で実現できるとともに、安全に作業を行うことができるという優れた効果を奏する。
【発明を実施するための最良の形態】
【００１１】  図１は本発明を具体化した実施形態の作業用手袋を示している。  この作業用手袋１は、芯鞘構造の熱融着繊維（ユニチカファイバー株式会社製、メルセット登録商標）の繊度１，０００デシテックス糸を５本用いて作られた軍手状の編み手袋であり、指のひら側の第一関節から指先までのほぼ中間部及び手のひらの任意の部分に熱融着により、鞘部の繊維が融着された繊維強化樹脂状の高さ８ｍｍ以下の突起２が設けられている。８ｍｍ以上の突起にすると作業し難い面がでてくる。【００１２】  図２は本発明の作業用手袋の断面部を示した図である。
手袋の外側の指のひら及び掌側には融着による突起があり、手袋の内側の指のひら及び掌側には滑り止め用の弾性体３が付着されている。【００１３】  図３本発明の作業用手袋の突起を形成する方法を表した断面図で、予め手袋を裏返して必要な部分に滑り止めの為の弾性体３を付着させておいた手袋の内側に、シリコンゴム製の凸型の型４をセットしておき、手袋の外側からヒーター５が付いた凹型の金型６を押し当てて鞘部の溶解温度（融点、摂氏１６０度）以上、芯部の溶解温度（融点、摂氏２５０度）以下の熱、最適温度は摂氏１７０度を加えた後に冷却することで得られる。【００１４】  図４は本発明の手袋を用いて袋を掴んだ状態を表す斜視図で、ポリエチレン製の袋７に入った可燃ごみの袋の口部８を結んだ結び目部９を指先内側の突起２が結び目部７にしっかりとくい込んだ状態を表している。【００１５】  このようにして袋７の上部を保持してごみ収集車の投入口に投げ入れることができるため、袋の上部に対しては注射針等が突き出ているかどうかの視認が袋の底部よりは容易であり、指先の突起２に力を集中させることが可能であるため、結び目部を簡単に掴む事ができるのである。【００１６】  なお、本発明は前記実施形態に限定されるものではなく、例えば以下のように、発明の趣旨から逸脱しない範囲で適宜変更して具体化することもできる。
（１）突起の断面形状が左右非対称になっていること。
（２）熱融着繊維が紡績糸であること。
（３）熱融着繊維以外により融点の高いアラミド繊維等を繊度比５０％以下合糸して編み上げられていること。
（４）熱融着繊維が用いられた織物から作られた縫い手袋であること。
（５）突起が多段式になっているもの。
（６）手袋の外側もしくは内側に防水加工が施されていること。
（７）突起先端部が直線状でなく曲がっているもの。
【図面の簡単な説明】
【００１７】
【図１】本発明の作業用手袋を示す斜視図である。
【図２】本発明の作業用手袋の断面図である。
【図３】本発明の作業用手袋の突起を形成する方法を表した断面図である。
【図４】本発明の手袋で袋を掴んだ常態を表した斜視図である。
【符号の説明】
【００１８】１  手袋
２  突起
３  滑り止め用弾性体
４  シリコーンゴム型
５  ヒーター
６  金型
７  ポリエチレン袋
８  口部
９  結び目
【図１】
2005179872.tif 000003
【図２】
2005179872.tif 000004
【図３】
2005179872.tif 000005
【図４】
2005179872.tif 000006
【図５】
2005179872.tif 000007
【手続補正書】
【提出日】平成16年3月1日(2004.3.1)
【手続補正１】
【補正対象書類名】明細書
【補正対象項目名】００１７
【補正方法】変更
【補正の内容】
【００１７】
【図１】本発明の作業用手袋を示す斜視図である。
【図２】本発明の作業用手袋の断面図である。
【図３】本発明の作業用手袋の突起を形成する方法を表した断面図である。
【図４】本発明の手袋で袋を掴んだ状態を表した斜視図である。
【図５】特許文献１記載の手袋を表した断面図である。